(57)【要約】【課題】各部屋の要求に応じた負イオン又は正イオン又は両イオンを含む空気イオン量等を任意に調整することができる空気イオン搬送システムを提供する。【解決手段】空気イオン搬送システム１００は、例えば空調設備等に採用されて住宅等の部屋に空気イオンを搬送するものであり、集中換気装置１０１の筐体１０２内に設けられ、外部から給気した空気１０３に、負イオン又は正イオン又はこれらの両イオンを含ませる空気イオン発生装置１０４と、前記筐体に設けられた継手１０５に接続され、複数部屋へ個別に空気を搬送する空気ダクト１０６−１〜１０６−４と、前記空気イオン発生装置を制御する制御装置１０７とを具備してなり、各部屋の要求に応じて空気イオンの発生の有無又はイオン発生量を制御装置により調節してなる。【選択図】        図１
2005337611.tif 000002
【特許請求の範囲】
【請求項１】
換気装置の筐体内に設けられ、外部から給気した空気に、負イオン又は正イオン又はこれらの両イオンを含ませる空気イオン発生装置と、
前記筐体に設けられた継手に接続され、１又は２以上の部屋へ空気を搬送する空気ダクトと、
前記空気イオン発生装置を制御する制御装置とを具備してなり、
各部屋の要求に応じて空気イオンの発生の有無又は空気イオン発生量を制御装置により調節してなることを特徴とする空気イオン搬送システム。
【請求項２】
請求項１において、
前記筐体内に空気ダクトに対応した仕切り部を配設してなり、該仕切り部内に空気イオン発生装置を配設してなることを特徴とする空気イオン搬送システム。
【請求項３】
請求項１において、
前記継手内に空気イオン発生装置を配設してなることを特徴とする空気イオン搬送システム。
【請求項４】
請求項１において、
前記筐体内に空気ダクトへ空気イオンを導入する導入装置を配設してなることを特徴とする空気イオン搬送システム。
【請求項５】
請求項１において、
継手又は空気ダクト又は給気吹出し部のいずれかに、空気イオンを中和する空気イオン中和部材を配設してなり、該空気イオンを中和することにより、個別に空気イオンの搬送量を調整してなることを特徴とする空気イオン搬送システム。
【請求項６】
請求項５において、
前記空気イオン中和部材が、シャッタ又は棒状部材又は仕切り部材又はくし状部材であり、該シャッタの絞り又は棒状部材の挿入又は仕切り部材の挿入又はくし状部材の挿入の程度に応じて、個別に空気イオンの搬送量を調整してなることを特徴とする空気イオン搬送システム。
【請求項７】
請求項１において、
前記空気ダクト内に放電装置を配設してなり、該放電装置の放電量に応じて、個別に空気イオンの搬送量を調整してなることを特徴とする空気イオン搬送システム。
【請求項８】
請求項１において、
前記各部屋の給気吹出し部のルーバーの角度を調整し、個別に空気イオンの吹出し量や、その向きを調整してなることを特徴とする空気イオン搬送システム。
【請求項９】
請求項１乃至８のいずれか一つにおいて、
前記継手又は空気ダクトは、非帯電構造或いは帯電性の低い構造を有していることを特徴とする空気イオン搬送システム。
【請求項１０】
請求項１乃至８のいずれか一つにおいて、
前記継手又は空気ダクトは、非帯電性の材料或いは帯電性の低い材料で形成してあることを特徴とする空気イオン搬送システム。
【発明の詳細な説明】
【技術分野】
【０００１】
本発明は、例えば住宅やオフィス等の部屋に負イオン（マイナスイオン）や正イオン（プラスイオン）を空気に含ませた空気イオンを供給する空気イオン搬送システムに関するものである。
【背景技術】
【０００２】
近年、例えば高気密・高断熱の住宅等において、屋内の空気が屋外の空気と十分に置換できないので、各々の部屋毎に積極的に換気を行うようにした換気装置がある。この装置は、ファンによって給気ボックスからエアの供給を行い、ファンによって排気ボックスにエアを吸引するように構成したチャンバーファンを備えている。チャンバーファンには、多数の空気ダクト孔を開口配置し、当該空気ダクト孔と各部屋の給気口及び排気口とを個別に直接連結するように部屋毎専用の給気空気ダクト及び排気空気ダクトを配置してある。そして、チャンバーファンの給気ボックス乃至その空気ダクト孔には、負イオン（マイナスイオン）発生手段を配置してあり、さらに各空気ダクト孔に風量調整手段を配置してある（例えば、特許文献１参照）。
【０００３】
【特許文献１】特開２００３−９７８３６号公報
【発明の開示】
【発明が解決しようとする課題】
【０００４】
しかしながら、特許文献１にかかる技術では、空気量を調整する風量調節手段があるものの、発生させた負イオンの量を制御することができない、という問題がある。また、ダクト搬送におけるイオンの減衰が発生するが、このイオン減衰対策を考慮していない、という問題がある。
【０００５】
また、近年の高層住宅等においては、集中して換気システムを制御することが望まれており、また各部屋における個別に要求に応じてイオンの量を任意に調整することが要望されている。
【０００６】
本発明は、上記実情に鑑みて、各部屋の要求に応じた負イオン又は正イオン又は量イオンを含む空気イオン量等を任意に調整することができる空気イオン搬送システムを提供することを課題とする。
【課題を解決するための手段】
【０００７】
上記の課題を達成する第１の発明は、換気装置の筐体内に設けられ、外部から給気した空気に、負イオン又は正イオン又はこれらの両イオンを含ませる空気イオン発生装置と、前記筐体に設けられた継手に接続され、１又は２以上の部屋へ空気を搬送する空気ダクトと、前記空気イオン発生装置を制御する制御装置とを具備してなり、各部屋の要求に応じて空気イオンの発生の有無又は空気イオン発生量を制御装置により調節してなることを特徴とする空気イオン搬送システムにある。
【０００８】
第２の発明は、第１の発明において、前記筐体内に空気ダクトに対応した仕切り部を配設してなり、該仕切り部内に空気イオン発生装置を配設してなることを特徴とする空気イオン搬送システムにある。
【０００９】
第３の発明は、第１の発明において、前記継手内に空気イオン発生装置を配設してなることを特徴とする空気イオン搬送システムにある。
【００１０】
第４の発明は、第１の発明において、前記筐体内に空気ダクトへ空気イオンを導入する導入装置を配設してなることを特徴とする空気イオン搬送システムにある。
【００１１】
第５の発明は、第１の発明において、継手又は空気ダクト又は給気吹出し部のいずれかに、空気イオンを中和する空気イオン中和部材を配設してなり、該空気イオンを中和することにより、個別に空気イオンの搬送量を調整してなることを特徴とする空気イオン搬送システムにある。
【００１２】
第６の発明は、第５の発明において、前記空気イオン中和部材が、シャッタ又は棒状部材又は仕切り部材又はくし状部材であり、該シャッタの絞り又は棒状部材の挿入又は仕切り部材の挿入又はくし状部材の挿入の程度に応じて、個別に空気イオンの搬送量を調整してなることを特徴とする空気イオン搬送システムにある。
【００１３】
第７の発明は、第１の発明において、前記空気ダクト内に放電装置を配設してなり、該放電装置の放電量に応じて、個別に空気イオンの搬送量を調整してなることを特徴とする空気イオン搬送システムにある。
【００１４】
第８の発明は、第１の発明において、前記各部屋の給気吹出し部のルーバーの角度を調整し、個別に空気イオンの吹出し量や、その向きを調整してなることを特徴とする空気イオン搬送システムにある。
【００１５】
第９の発明は、第１乃至８のいずれか一つの発明において、前記継手又は空気ダクトは、非帯電構造或いは帯電性の低い構造を有していることを特徴とする空気イオン搬送システムにある。
【００１６】
第１０の発明は、第１乃至８のいずれか一つの発明において、前記継手又は空気ダクトは、非帯電性の材料或いは帯電性の低い材料で形成してあることを特徴とする空気イオン搬送システムにある。
【発明の効果】
【００１７】
本発明に係る空気イオン搬送システムによれば、各々の部屋毎におけるイオンの供給の有無、イオン量の調節やイオン種の変更が可能となる。
また、仕切り部や継手内に空気イオン発生装置を配設することで、空気ダクト内に個別に空気イオンを供給することができる。
また、空気イオンを導入する導入装置を配設することで、所望の部屋のみに空気イオンを供給することができる。
また、前記継手又は空気ダクト又は給気吹出し部のいずれかに、空気イオンを中和する空気イオン中和部材を配設することにより、個別に空気イオンの搬送量を調整することができる。
また、前記空気ダクト内に放電部材を配設することで、該放電量に応じて、個別に空気イオンの搬送量を調整することができる。
また、前記各部屋の給気吹出し部のルーバーの角度を調整することで、個別に空気イオンの吹出し量や向き等を調整することができる。
また、空気ダクトを非帯電構造又は非帯電性材料、若しくは帯電性の低い構造又は材料とすることで、空気イオンを部屋等に搬送する際に負イオン及び正イオンが静電気によって配送手段に吸着する事態を防ぎ、空気イオンの有効濃度を維持した状態で当該空気イオンを搬送することができる。
【発明を実施するための最良の形態】
【００１８】
以下に添付図面を参照して、本発明に係る空気イオン搬送システムの好適な実施例を詳細に説明する。なお、この実施例によりこの発明が限定されるものではない。
【実施例】
【００１９】
図１は本発明に係る空気イオン搬送システムの一実施例を示す概略構成図である。
【００２０】
本発明の空気イオン搬送システム１００は、例えば空調設備等に採用されて住宅等の部屋に空気イオンを搬送するものであり、集中換気装置１０１の筐体１０２内に設けられ、外部から給気した空気１０３に、負イオン又は正イオン又はこれらの両イオンを含ませる空気イオン発生装置１０４と、前記筐体に設けられた継手１０５に接続され、複数部屋（本実施例では４部屋）へ個別に空気を搬送する空気ダクト１０６−１〜１０６−４と、前記空気イオン発生装置を制御する制御装置１０７とを具備してなり、各部屋の要求に応じて空気イオンの発生の有無又はイオン発生量を制御装置により調節してなるものである。なお、図１中、符号１０８は部屋内に空気を噴出する吹出し部を図示する。
【００２１】
図１に示す実施例では、空気ダクト１０６の空気ダクト孔に対向する位置に空気イオン発生装置１０４を設けており、制御装置１０７において、各空気イオン発生装置１０４を任意に調整することで、各部屋の要求に応じた作動・停止の調整、イオン量の増減の調整等の各種調整を集中して管理することができる。
【００２２】
これにより、負イオン、正イオン又は両者のイオンの発生量や交互・間欠運転等により、各室内での負イオン、正イオンの混合比（濃度）を変化させることが可能となる。また、必要に応じて、負イオンのみ、あるいは正イオンのみの発生も可能となる。
【００２３】
なお、本例では、ダクトを４本としているが、本発明はこれに限定されるものではなく、１本のダクトとして一部屋に供給するような場合においてもできる。また大部屋や湿気や汚れがひどい場合には部屋の条件等に応じて適宜調整することができる。
【００２４】
ここで、前記集中換気装置１０１の筐体１０２の内部には送風機１２０が配設されている。また、必要に応じて給気側に種々の空気清浄装置を設けるようにしてもよい。前記空気清浄装置としては,例えばＨＥＰＡフィルタ（Ｈｉｇｈ Ｅｆｆｉｃｉｅｎｃｙ Ｐａｒｔｉｃｕｌａｔｅ Ａｉｒ Ｆｉｌｔｅｒ）等からなり、送風機２０の稼働によって給気される空気中の塵埃等を主に除去するものである。この空気清浄装置は、給気する空気の状態に応じて比較的粗大な汚染物を除去するフィルタや、ＮＯX・ＳＯXや化学物質や花粉等を除去するフィルタ等を適宜採用するようにしてもよい。
この空気清浄装置により集塵することにより、ダクト内空気イオンは更に効率良く搬送することができるようになる。
【００２５】
前記空気イオン発生装置１０４は、図には明示しないが、高電圧発生部とイオン発生部とを対向配置し、高電圧発生部からイオン発生部に高電圧を印加することによってコロナ放電により、空気中の酸素ないしは水分が電離によりエネルギーを受けてイオン化し、Ｈ+（Ｈ2Ｏ）m（ｍは任意の自然数）とＯ2-（Ｈ2Ｏ）n（ｎは任意の自然数）とを主体とした正負のイオン（プラスイオンとマイナスイオン）を生成し、これらをファン等により空間に放出させる。これら、Ｈ+（Ｈ2Ｏ）m及びＯ2-（Ｈ2Ｏ）nは、浮遊菌の表面に付着し、化学反応して活性種である過酸化水素（Ｈ2Ｏ2）又は水酸基ラジカル（・ＯＨ）を生成する。Ｈ2Ｏ2又は・ＯＨは、極めて強力な活性を示すため、これらにより、空気中の浮遊細菌を取り込んで不活化することができる。ここで、・ＯＨは活性種の１種であり、ラジカルのＯＨを示している。
【００２６】
正負のイオンは、浮遊細菌の細胞表面で下記式（１）〜式（３）に示すように化学反応して、活性種である過酸化水素（Ｈ2Ｏ2）又は水酸基ラジカル（・ＯＨ）を生成する。ここで、式（１）〜式（３）において、ｍ、ｍ′、ｎ、ｎ′は任意の自然数である。これにより、活性種の分解作用によって浮遊細菌が破壊される。したがって、効率的に空気中の浮遊細菌を不活化、殺菌することができる。
【００２７】
Ｈ+（Ｈ2Ｏ）m＋Ｏ2-（Ｈ2Ｏ）n→・ＯＨ＋1/2Ｏ2＋（ｍ＋ｎ）Ｈ2Ｏ…式（１）
Ｈ+（Ｈ2Ｏ）m＋Ｈ+（Ｈ2Ｏ）m′＋Ｏ2-（Ｈ2Ｏ）n＋Ｏ2-（Ｈ2Ｏ）n′→２・ＯＨ＋Ｏ2＋（ｍ＋ｍ′＋ｎ＋ｎ′）Ｈ2Ｏ…式（２）
Ｈ+（Ｈ2Ｏ）m＋Ｈ+（Ｈ2Ｏ）m′＋Ｏ2-（Ｈ2Ｏ）n＋Ｏ2-（Ｈ2Ｏ）n′→Ｈ2Ｏ2＋Ｏ2＋（ｍ＋ｍ′＋ｎ＋ｎ′）Ｈ2Ｏ…式（３）
以上のメカニズムにより、前記正負イオンの放出により浮遊菌等の殺菌効果を得ることができる。
【００２８】
また、前記式（１）〜式（３）は、空気中の有害物質表面でも同様の作用を生じさせることができるため、活性種である過酸化水素（Ｈ2Ｏ2）又は水酸基ラジカル（・ＯＨ）が、有害物質を酸化もしくは分解して、ホルムアルデヒドやアンモニア等の化学物質を、二酸化炭素や、水、窒素等の無害な物質に変換することにより、実質的に無害化することが可能である。
【００２９】
なお、本例では、空気イオン発生装置を箱型形状のもので説明するが、本発明はこれに限定さるものではなく、例えば電極形状のもの、棒形状又は針形状等の種々の形態のイオン発生装置を用いることができる。
【００３０】
したがって、送風機１２０を駆動することにより、空気イオン発生装置１０４によって発生させた正イオンと負イオンとを本体外に送り出すことができる。そして、これらの正イオンと負イオンの作用により空気中のカビや菌の微生物を殺菌することができる。
その他、正イオンと負イオンには、コクサッキーウィルス、ポリオウィルス、等のウィルス類も不活化する働きがあり、これらウィルスの混入による汚染が防止できる。
また、正イオンと負イオンには、臭いの元となる分子を分離する働きがあることも確かめられており、空間の脱臭にも利用できる。
【００３１】
また、図２に示すように、筐体１０１内に空気ダクト１０６−１〜１０６−４に対応して空気を導入する仕切り部１２１−１〜１２１−３を配設し、該仕切り部１２１−１〜１２１−３内に空気イオン発生装置１０４−１〜１０４−４を配設するようにしてもよい。
これにより、各空気ダクト１０６−１〜１０６−４内に各空気イオン発生装置で発生した空気イオンが確実に送給されることとなり、各部屋における調整が確実となる。
【００３２】
また、図３に示す装置において、大径のダクト１３１により、所定個所まで一括して給気し、分岐チャンバ１３２にて各部屋に分岐する際に、該分岐チャンバ１３２内に設けた該仕切り部１２１−１〜１２１−３内に空気イオン発生装置１０４−１〜１０４−４を配設するようにしてもよい。
これにより、設計の関係上共通ダクト１３１用いて外気を所定場所において分岐する分岐チャンバ１３２にて空気イオンが各部屋に確実に供給することができる。
【００３３】
また、図４に示すように、筐体１０１の各継手１０５−１〜１０５−４内に空気イオン発生装置１０４−１〜１０４−４を配設するようにしてもよい。
これにより、各空気ダクト１０６−１〜１０６−４内に空気イオンが確実に送給されることとなり、各部屋における調整が確実となる。
【００３４】
また、空気ダクトの配置は同一方向に向かって配置するものに限定されるものではなく、例えば図５に示すように、空気ダクト１０６−１と空気ダクト１０６−４とを筐体１０２の側壁に設けるような配置とする場合においても、各継手１０５−１〜１０５−４内に空気イオン発生装置１０４−１〜１０４−４を配設するので、空気イオンの供給が確実となる。
【００３５】
また、図６に示すように、空気を導入する導入装置１２２を設けてなり、該導入装置１２２を調整することにより、任意の空気ダクトに空気イオンを供給するようにしてもよい。
本実施例では、前記導入装置１２２は、空気ダクトに対応した可撓性の仕切り部１２３と、該仕切り部１２３に当接して空気搬送方向を調整する角度可変自在の羽部材１２４とから構成されているが、本発明はこれに限定されるものではない。なお、符号１２５は固定の導入部材である。
本実施例においては、空気イオン発生装置を２台としているが、設置台数は空気イオン発生装置の能力と供給先の容量に応じて適宜増減するようにすればよい。
本実施例によれば、羽部材１２４を移動させることで、例えば第１の空気ダクト１０６−１の入口部を閉塞し、該第１の空気ダクト１０６−１への空気の移動を制御している。これにより、空気イオンを搬送するダクトを適宜変更することができる。
【００３６】
また、図１の装置において、前記継手１０５又は空気ダクト１０６又は給気吹出し部１０８のいずれかに、例えば図７に示すような、空気イオンを中和する空気イオン中和部材１３１を配設するようにしてもよい。この空気イオン中和部材１３１を設置することにより、例えば特定の空気ダクト内における個別に空気イオンの搬送量を調整することができる。
これにより、集中換気装置において、集中して空気イオンを搬送する場合において、予め特定の部屋における空気イオン濃度を調整することが可能となる。
特に集中換気システムの場合には、一定の濃度の空気イオンを筐体１０２内部で発生するが、空気イオン中和部材１３１を適宜設置することにより、空気ダクトの距離及び各部屋の大きさに応じて、各部屋の空気イオン濃度を所定濃度となるように調整することができる。
【００３７】
ここで、前記空気イオン中和部材１３１の材料としては、空気イオンを中和等で低減できるような材料であれば、特に限定されるものではないが、例えば帯電しやすい樹脂製の素材や種々の不織布、金属（電極等）等を挙げることができる。
負イオンのみを制御する場合であれば正イオンに帯電しやすい素材や、正イオンのみを制御するものであれば、負イオンに帯電しやすい素材を適宜用いることができる。
【００３８】
また、空気イオン中和部材１３１は設置型に限定されるものではなく、可変型とするようにしてもよい。
例えば、図８−１、図８−２に示すように、空気イオン中和部材を複数の羽１３２からなるシャッタ型のものとし、図示しない作動部材により該羽１３２を絞ること（ダクト断面の開口率の調整）により、その開閉の度合いに応じて、個別に空気イオンの搬送量を調整するようにしている。この場合には空気の搬送量も調整することができる。なお、調整は自動又は手動で行うようにすればよい。なお、絞りは図８−１、図８−２のように内側だけではなく、ダクト外側からの絞り構造としてもよい。ここで、空気ダクトの絞り径は１００％でなくともよく、搬送する空気イオンを中和し、空気イオン濃度を設計値の要求に応じて適宜増減するようにすればよい。
【００３９】
また、可変型の空気イオン中和部材は羽型に限定されるものではなく、例えば図９−１、図９−２に示すようなダクト内に挿入自在な仕切り部材１３３とするようにしてもよい。この挿入量は所望の空気イオン量となるように調整すればよい。
【００４０】
また、図９−３は各部屋における給気吹出し部１０８近傍において、空気ダクト１０６内に空気イオン中和部材１３３を任意に挿入する場合を示している。この場合には、各部屋において空気イオン量の調整が可能となる。
【００４１】
また、前記仕切り部材１３３としては、例えば図１０−１に示すようなネット状部材１３３ａ、図１０−２に示すようなメッシュ状部材１３３ｂ、図１０−３に示すような膜状部材１３３ｃ等とすることができる。
【００４２】
また、空気イオン中和部材としては、仕切り部材に限定されるものではなく、例えば棒状部材、櫛歯型部材等とすることもでき、これらの挿入の程度に応じて空気イオンの中和量を適宜変更するようにしてもよい。
【００４３】
また、図１１に示すように、前記空気ダクト１０６内に放電装置１３５を配設してなり、該放電装置１３５による放電量に応じて、個別に空気イオンの搬送量を調整するようにしてもよい。
【００４４】
また、図１２に示すように、前記各部屋の給気吹出し部１０８のルーバー１０９の角度並びに材質等を調整し、ルーバー１０９に空気イオンを接触させることで、個別に空気イオンの吹出し量並びに向きを調整するようにしてもよい。
【００４５】
また、前記継手１０５及び空気ダクト１０６は、非帯電構造或いは帯電性の低い構造とするのが好ましい。非帯電構造或いは帯電性の低い構造としては、帯電しない、あるいは帯電しにくい構造であり、図には明示しないが各空気ダクト等にアースを設ける構造がある。また、非帯電構造としては、前記空気ダクト等の少なくとも内面を非帯電性の材料で形成する、もしくは前記空気ダクト等の少なくとも内面を非帯電性の形状に構成することが考えられる。非帯電性の材料としては、アルミニウム等の金属材料、又は樹脂系材料等がある。なお、樹脂系材料としては、例えば負イオンを含む空気を搬送するダクトの場合には正に帯電しない、あるいは帯電しにくい樹脂系材料を採用し、正イオンを含む空気を搬送するダクトの場合には負に帯電しない、あるいは帯電しにくい樹脂系材料を採用するようにすればよい。
【００４６】
また、非帯電性の構成としては、蛇腹形状、空気ダクト内での番線等の支持体のピッチ、又は空気ダクトの内面材の接着方法等がある。すなわち、非帯電構造では、空気ダクトにおいて空気が触れる内面に対して帯電しない、あるいは帯電しにくい構造を備えることが重要である。
【００４７】
上述した実施例を適宜組み合わせることにより、空気ダクト内を搬送する空気イオンの濃度を制御するようにしてもよい。
【００４８】
本発明の空気イオン搬送システムはファンにより給気する第一種又は第二種等の換気システムに適用することができる。次に、本発明の空気イオン搬送システムを適用した集中換気システムの一例を図１３に示す。
【００４９】
図１３に示すように、高気密・高断熱の住宅等において、屋内の空気（内気）と屋外の空気（外気）とを置換するシステムに適用したものである。なお、図１３では、１フロア３ＬＤＫの間取りの住宅を一例として示している。具体的には、部屋としてリビング１ａ、和室１ｂ、第１洋室１ｃ及び第２洋室１ｄがある。和室１ｂは襖を介してリビング１ａに通じている。このリビング１ａには、台所１ｅがある。また、リビング１ａ、第１洋室１ｃ及び第２洋室１ｄは、それぞれドアを介して廊下１ｆに通じている。また、廊下１ｆには、ドアを介してトイレ１ｇが通じている。さらに、廊下１ｆには、ドアを介して脱衣所１ｈが通じ、当該脱衣所１ｈの奥にはドアを介して浴室１ｉが通じている。
【００５０】
図１３に示すように本換気システムは、天井裏等に換気手段２を配置してある。前記換気手段２は、第一種換気を行うものであり、給気側筐体２Ａの内部に図示しない給気側送風機と、排気側筐体２Ｂ内部に図示しなし排気側送風機とを設けてある。
前記給気側筐体２Ａは、外気取込口３ａ、給気口３ｂを有しており、一方、排気側筐体２Ｂは、内気取込口３ｃ及び排気口３ｄを有している。また、前記外気取込口３ａ及び排気口３ｄは屋外側に通じ、給気口３ｂ及び内気取込口３ｃは屋内側に通じる。
前記給気側送風機は、その稼働によって外気取込口３ａから筐体２Ａの内部に屋外側の空気を取り込み、当該空気を給気口３ｂから屋内側に給気する。
前記排気側送風機は、その稼働によって内気取込口３ｃから筐体２Ｂの内部に屋内側の空気を取り込み、当該空気を排気口３ｄから屋外側に排気する。
【００５１】
また、給気側筐体２Ａの外気取込口３ａの位置には、図示しないフィルタが設けてある。このフィルタは、例えばＨＥＰＡフィルタが好ましい。これらのフィルタは、主に花粉や臭いやＮＯｘ等を集塵する。
【００５２】
図１３に示すように前記構成の換気手段２に関して、外気取込口３ａ及び給気口３ｂには給気系空気ダクトが接続してあり、内気取込口３ｃ及び排気口３ｄには排気系空気ダクトが接続してある。具体的に、外気取込口３ａには、屋外側に通じる給気空気ダクト１０ａが接続してある。また、給気口３ｂには、屋内側に通じる給気空気ダクト１０ｂが接続してある。また、内気取込口３ｃには、屋内側に通じる排気空気ダクト１１ａが接続してある。また、排気口３ｄには、屋外側に通じる排気空気ダクト１１ｂが接続してある。
【００５３】
給気空気ダクト１０ａは、外気取込口３ａから室内の天井裏等を経由して図１３で示す屋外側となる玄関１２等に向けて設けてある。また、給気空気ダクト１０ａが玄関１２等に至る端部には、給気吸込口１３が設けてある。
【００５４】
前記給気空気ダクト１０ｂは、給気口３ｂから室内の天井裏等を経由して図１３で示す屋内の各部屋であるリビング１ａ、和室１ｂ、第１洋室１ｃ及び第２洋室１ｄに向けて分岐して設けてある。また、給気空気ダクト１０ｂが前記各部屋１ａ，１ｂ，１ｃ，１ｄに至る端部には、給気吹出口１４が設けてある。
【００５５】
前記排気空気ダクト１１ａは、内気取込口３ｃから室内の天井裏等を経由して図１３で示す屋内の各部屋であるトイレ１ｇ及び浴室１ｉに向けて分岐して設けてある。また、排気空気ダクト１１ａが前記トイレ１ｇ及び浴室１ｉに至る端部には、排気吸込口１５が設けてある。
【００５６】
排気空気ダクト１１ｂは、排気口３ｄから室内の天井裏等を経由して図１３で示す屋外側である建物外壁１６等に向けて設けてある。また、排気空気ダクト１１ｂが建物外壁１６等に至る端部には、排気吹出口１７が設けてある。
【００５７】
また、屋内には、前記給気吹出口１４と排気吸込口１５とを通じさせる通風手段１８が設けてある。この通風手段１８は、和室１ｂからリビング１ａに通じる襖ガラリ、リビング１ａから廊下１ｆに通じるドアアンダーカット、第１洋室１ｃから廊下１ｆに通じるドアアンダーカット、第２洋室１ｄから廊下１ｆに通じるドアアンダーカット、廊下１ｆからトイレ１ｇに通じるドアアンダーカット、廊下１ｆから脱衣所１ｈに通じるドアアンダーカット、及び脱衣所１ｈから浴室１ｉに通じるドアガラリ等がある。
【００５８】
ところで、前記の構成に関して、前記換気手段２に前述した空気イオン搬送システム１０１が適用されている。この結果、各部屋の要求に応じた空気イオンの供給を可能としている。また、給気空気ダクト１０ｂには、空気イオン中和部材が配設されており、各部屋の要求に応じたイオン量となるように調整をするようにしている。なお、空気イオン発生装置の可動は、換気手段２の給気側送風機および排気側送風機の稼働とは別に各々独立して各部屋１ａ，１ｂ，１ｃ，１ｄに配置したスイッチ２１によってＯＮ／ＯＦＦ及び空気イオン発生量を制御することが可能である。また、リビング等一室に集中して各部屋のイオン量、風量を制御するようにしてもよい。
【００５９】
よって、従来のような固定のイオン発生装置の場合と異なり、設計の段階において又は使用中の段階において、各々の部屋に供給する空気イオンの量を任意に調整することができる。
【００６０】
以上のように、本発明にかかる空気イオン搬送システムによれば、各部屋の要求に応じた空気イオンの搬送が可能となるので、各部屋に個別に空気イオン発生手段を設けなくてもよいため、各部屋での設計上の制約を受けることがない。
また、各部屋に設けた空気供給口に空気イオン発生手段を設けなくてもよいため、水廻り部での湿気の影響やその他特殊な部屋（冷凍室、冷蔵室、高温室、工場や医療施設で薬剤使用あるいは薬剤薫蒸する部屋等）での空気イオン発生手段への直接的な影響がないので、継続的で安定した空気イオンの供給が可能になる。
そして、空気ダクトによる空気イオンの搬送なので常時ダクト内の殺菌や脱臭が可能である。このため、前記空気イオン搬送装置は、住宅に限らず、オフィス、医療施設、老健施設、宿泊施設、教育施設あるいは美術館等の配管空調システム導入のあらゆる用途の建物に適応することが可能である。
【００６１】
さらに、前記空気イオン搬送システムにおいて、空気清浄装置を設けることによって負イオンと正イオンとを含ませる以前の空気の清浄を行っている。このため、空気イオンを部屋等に搬送する際に負イオン及び正イオンが空気中の塵埃に吸着する事態を防ぎ、空気イオンの有効濃度を維持した状態で当該空気イオンを搬送することが可能になる。
【００６２】
また、前記空気イオン搬送装置は、空気イオンを配送する各継手や空気ダクト等に非帯電構造を設けてあり、あるいは各空気ダクト等を非帯電性の材料を含み形成してある。このため、空気イオンを部屋等に搬送する際に負イオン及び正イオンが静電気によって各空気ダクト等に吸着する事態を防ぎ、空気イオンの有効濃度を維持した状態で当該空気イオンを搬送することが可能になる。
【産業上の利用可能性】
【００６３】
以上のように、本発明に係る空気イオン搬送システムは、例えば住宅等の種々の建物用途の部屋に負イオンや正イオンを空気に含ませた空気イオンを供給することに有用であり、特に、各部屋における要求に応じて個別に配送して空気イオンの有効濃度を維持した状態で当該空気イオンを搬送することに適している。
【図面の簡単な説明】
【００６４】
【図１】本発明に係る空気イオン搬送システムの一実施例を示す概略構成図である。
【図２】本発明に係る空気イオン搬送システムの他の一実施例を示す概略構成図である。
【図３】本発明に係る空気イオン搬送システムの他の一実施例を示す概略構成図である。
【図４】本発明に係る空気イオン搬送システムの他の一実施例を示す概略構成図である。
【図５】本発明に係る空気イオン搬送システムの他の一実施例を示す概略構成図である。
【図６】本発明に係る空気イオン搬送システムの他の一実施例を示す概略構成図である。
【図７】本発明に係る空気イオン搬送システムの空気イオン中和部材の一実施例を示す概略構成図である。
【図８−１】本発明に係る空気イオン搬送システムの空気イオン中和部材の他の一実施例を示す概略構成図である。
【図８−２】本発明に係る空気イオン搬送システムの空気イオン中和部材の他の一実施例を示す概略構成図である。
【図９−１】本発明に係る空気イオン搬送システムの空気イオン中和部材の他の一実施例を示す概略構成図である。
【図９−２】本発明に係る空気イオン搬送システムの空気イオン中和部材の他の一実施例を示す概略構成図である。
【図９−３】本発明に係る空気イオン搬送システムの空気イオン中和部材の他の一実施例を示す概略構成図である。
【図１０−１】本発明に係る空気イオン搬送システムの空気イオン中和部材の他の一実施例を示す概略構成図である。
【図１０−２】本発明に係る空気イオン搬送システムの空気イオン中和部材の他の一実施例を示す概略構成図である。
【図１０−３】本発明に係る空気イオン搬送システムの空気イオン中和部材の他の一実施例を示す概略構成図である。
【図１１】本発明に係る空気イオン搬送システムの放電装置の一実施例を示す概略構成図である。
【図１２】本発明に係る空気イオン搬送システムの給気吹出し部の一実施例を示す概略構成図である。
【図１３】本発明に係る空気イオン搬送システムを適用した換気システムの一実施例を示す概略構成図である。
【符号の説明】
【００６５】
１００  空気イオン搬送システム
１０１  集中換気装置
１０２  筐体
１０３  空気
１０４、１０４−１〜１０４−４  空気イオン発生装置
１０５、１０５−１〜１０５−４  継手
１０６、１０６−１〜１０６−４  空気ダクト
１０７  制御装置
１０８  給気吹出し部
【図１】
2005337611.tif 000003
【図２】
2005337611.tif 000004
【図３】
2005337611.tif 000005
【図４】
2005337611.tif 000006
【図５】
2005337611.tif 000007
【図６】
2005337611.tif 000008
【図７】
2005337611.tif 000009
【図８−１】
2005337611.tif 000010
【図８−２】
2005337611.tif 000011
【図９−１】
2005337611.tif 000012
【図９−２】
2005337611.tif 000013
【図９−３】
2005337611.tif 000014
【図１０−１】
2005337611.tif 000015
【図１０−２】
2005337611.tif 000016
【図１０−３】
2005337611.tif 000017
【図１１】
2005337611.tif 000018
【図１２】
2005337611.tif 000019
【図１３】
2005337611.tif 000020